(57)【要約】【課題】複数の企業が、無線ＩＣタグを利用して商品販売促進のキャンペーンを行う際の支援を行う無線ＩＣタグ利用システムにおいて、個人情報の漏洩を防止し、且つ、各企業の負担を軽減する。【解決手段】複数の企業サーバ２１に、共通のＩＤ管理ゲートウエイ１１を配設する。ＩＤ管理ゲートウエイ１１は、ネットワーク７を介して、ユーザ端末１から、リーダライタ３の識別情報と無線ＩＣタグ６の識別情報とを受信し、無線ＩＣタグ６の識別情報と企業名とを関連づけて記憶するデータベース１３を参照して企業名を抽出し、ユーザが無線ＩＣタグ６を利用して商品情報にアクセスした旨の情報を、リーダライタ３の識別情報と共に、企業サーバに２１提供する。企業サーバ２１は、リーダライタ３の識別情報から、ユーザ名を抽出し、ユーザが無線ＩＣタグ６の識別情報を送信した回数に応じて、ユーザに特典を提供する。【選択図】図１
2008234583.tif 000002
【特許請求の範囲】
【請求項１】
複数のユーザ端末及び複数の企業サーバと、ネットワークを経由して前記複数のユーザ端末及び複数の企業サーバと接続された管理ゲートウエイとを備えるＩＣタグ利用システムであって、
前記ユーザ端末は、商品情報を記憶するＩＣタグからリーダライタが読み出したＩＣタグ識別情報をユーザ識別情報と共に送信し、
前記管理ゲートウエイは、前記ユーザ端末から前記ＩＣタグ識別情報及びユーザ識別情報を受信すると、ＩＣタグ識別情報と企業識別情報とを関連づけて記憶するタグ情報データベースを参照し、受信したＩＣタグ識別情報を有するＩＣタグを発行した企業に向けて、前記ユーザ識別情報を送信し、
前記企業サーバは、前記管理ゲートウエイから前記ユーザ識別情報を受信すると、ユーザ識別情報とユーザの個人情報とを関連づけて記憶する個人情報データベースを参照し、前記ユーザからユーザ識別情報の送信があった旨を記憶することを特徴とするＩＣタグ利用システム。
【請求項２】
前記ユーザ識別情報がリーダライタの識別情報である、請求項１に記載のＩＣタグ利用システム。
【請求項３】
前記企業サーバは、ユーザと、当該ユーザから前記ＩＣタグ識別情報の送信があった送信回数とをデータベースに記憶し、
前記送信回数が所定のしきい値に達したユーザを指摘する、請求項１又は２に記載のＩＣタグ利用システム。
【請求項４】
前記管理ゲートウエイは、前記企業サーバのそれぞれから企業識別情報とＩＣタグ識別情報とを受信し、該受信した企業識別情報とＩＣタグ識別情報の対応関係を前記タグ情報データベースに記憶する、請求項３に記載のＩＣタグ利用システム。
【請求項５】
前記管理ゲートウエイは、ユーザ識別情報とユーザ個人情報とを対応づけたデータを保持しない、請求項４に記載のＩＣタグ利用システム。
【請求項６】
複数のユーザ端末及び複数の企業サーバと、ネットワークを経由して前記複数のユーザ端末及び複数の企業サーバと接続された管理ゲートウエイとを用いてＩＣタグを利用する方法であって、
前記ユーザ端末が、商品情報を記憶するＩＣタグからリーダライタが読み出したＩＣタグ識別情報をユーザ識別情報と共に送信するステップと、
前記管理ゲートウエイが、前記ユーザ端末から前記ＩＣタグ識別情報及びユーザ識別情報を受信すると、ＩＣタグ識別情報と企業識別情報とを関連づけて記憶するタグ情報データベースを参照し、受信したＩＣタグ識別情報を有するＩＣタグを発行した企業に向けて、前記ユーザ識別情報を送信するステップと、
前記企業サーバが、前記管理ゲートウエイから前記ユーザ識別情報を受信すると、ユーザ識別情報とユーザの個人情報とを関連づけて記憶する個人情報データベースを参照し、前記ユーザからユーザ識別情報の送信があった旨を記憶するステップとを有することを特徴とするＩＣタグ利用方法。
【請求項７】
前記ユーザ識別情報がリーダライタの識別情報である、請求項６に記載のＩＣタグ利用方法。
【請求項８】
前記企業サーバが、ユーザ識別情報と、当該ユーザ識別情報を有するユーザから前記ＩＣタグ識別情報の送信があった送信回数とをデータベースに記憶するステップと、
前記企業サーバが、前記送信回数が所定のしきい値に達したユーザを指摘するステップとを更に有する、請求項６又は７に記載のＩＣタグ利用方法。
【請求項９】
前記管理ゲートウエイが、前記企業サーバのそれぞれから企業識別情報とＩＣタグ識別情報とを受信し、該受信した企業識別情報とＩＣタグ識別情報の対応関係をデータベースに記憶するステップを更に有する、請求項８に記載のＩＣタグ利用方法。
【請求項１０】
前記管理ゲートウエイは、ユーザ識別情報とユーザ個人情報とを対応づけたデータを保持しない、請求項９に記載のＩＣタグ利用方法。
【発明の詳細な説明】
【技術分野】
【０００１】
本発明は、ＩＣタグ利用システム及び方法に関し、更に詳しくは、商品情報を記憶する無線ＩＣタグを利用して商品のキャンペーンを行う際に好適なＩＣタグ利用システム及び方法に関する。
【背景技術】
【０００２】
企業間の競争の激化に伴い、企業が新たに売り出す商品の販売促進のためのキャンペーンが増えている。商品の販売促進キャンペーンに際して、近年コスト低減が著しい無線ＩＣタグを利用できれば、便利である。ここで、企業が無線ＩＣタグを用いて商品の販売促進のキャンペーンを行う場合には、例えば以下の手順が考えられる。
【０００３】
企業は、まず、販売促進を行う商品に無線ＩＣタグを取り付け、流通経路を経由してその商品を店舗等に卸す。ユーザは、商品を購入し、カードリーダが付属するユーザ端末を用いて、無線ＩＣタグの識別番号を含む商品情報読み出し、読み出した商品情報のうち少なくともＩＣタグの識別番号を、企業のサーバに向けて送信する。企業は、キャンペーン期間中にＩＣタグの識別番号を送信してくれたユーザに対して、その送信回数に応じた特別なサービスの提供を行う。商品の販売促進のためのキャンペーンは、例えば特許文献１、特許文献２にその記載がある。
【０００４】
【特許文献１】特開２００１−２８３０９５号公報
【特許文献２】特開２００４−３４８６２５号公報
【発明の開示】
【発明が解決しようとする課題】
【０００５】
上記のように、無線ＩＣタグは、バーコードと比較し、情報の書込みと読出しが可能で、且つ、大量の情報が扱えるため、商品の販売管理などに利用されつつある。しかし、多くのユーザに、無線ＩＣタグを広範囲に利用してもらうためには、それぞれの企業がリーダライタを用意してユーザ端末に設置し、またユーザ端末と企業間のネットワークも用意する必要がある。一つの企業がそのような設備を用意することは負担が大きく、従って、全ての企業が共通に利用できる設備基盤が望まれている。
【０００６】
ところで、上記共通の設備基盤を整備し、その設備基盤を利用し個々のユーザに対して、ＩＣタグを利用した商品販売促進のキャンペーンを行うにあたっては、ユーザ端末から無線ＩＣタグの識別番号を送信する際に、送信したユーザの個人情報の送信も必要となる。しかし、ＩＣタグの識別番号の送信の度に、ユーザの個人情報を送信することは、情報漏れ等による個人情報の漏洩が懸念されるという問題がある。
【０００７】
さらに、ユーザは、サービスを提供する企業に対して、個人情報を送信したのであり、企業以外の中間媒体である共通基盤が、ユーザの個人情報を保有しないようにして、個人情報の漏洩防止を考慮する必要もある。
【０００８】
上記に鑑み、本発明は、無線ＩＣタグを利用して商品の販売促進のキャンペーンを行う企業の負担を軽減することにより、個人情報の漏洩を防止しつつ各企業の支援が可能なＩＣタグ利用システムを提供することを目的とする。
【課題を解決するための手段】
【０００９】
上記目的を達成するために、本発明のＩＣタグ利用システムは、複数のユーザ端末及び複数の企業サーバと、ネットワークを経由して前記複数のユーザ端末及び複数の企業サーバと接続された管理ゲートウエイとを備えるＩＣタグ利用システムであって、
前記ユーザ端末は、商品情報を記憶するＩＣタグからリーダライタが読み出したＩＣタグ識別情報をユーザ識別情報と共に送信し、
前記管理ゲートウエイは、前記ユーザ端末から前記ＩＣタグ識別情報及びユーザ識別情報を受信すると、ＩＣタグ識別情報と企業識別情報とを関連づけて記憶するタグ情報データベースを参照し、受信したＩＣタグ識別情報を有するＩＣタグを発行した企業に向けて、前記ユーザ識別情報を送信し、
前記企業サーバは、前記管理ゲートウエイから前記ユーザ識別情報を受信すると、ユーザ識別情報とユーザの個人情報とを関連づけて記憶する個人情報データベースを参照し、前記ユーザからユーザ識別情報の送信があった旨を記憶することを特徴とする。
【００１０】
また、本発明のＩＣタグ利用方法は、複数のユーザ端末及び複数の企業サーバと、ネットワークを経由して前記複数のユーザ端末及び複数の企業サーバと接続された管理ゲートウエイとを用いてＩＣタグを利用する方法であって、
前記ユーザ端末が、商品情報を記憶するＩＣタグからリーダライタが読み出したＩＣタグ識別情報をユーザ識別情報と共に送信するステップと、
前記管理ゲートウエイが、前記ユーザ端末から前記ＩＣタグ識別情報及びユーザ識別情報を受信すると、ＩＣタグ識別情報と企業識別情報とを関連づけて記憶するタグ情報データベースを参照し、受信したＩＣタグ識別情報を有するＩＣタグを発行した企業に向けて、前記ユーザ識別情報を送信するステップと、
前記企業サーバが、前記管理ゲートウエイから前記ユーザ識別情報を受信すると、ユーザ識別情報とユーザの個人情報とを関連づけて記憶する個人情報データベースを参照し、前記ユーザからユーザ識別情報の送信があった旨を記憶するステップとを有することを特徴とする。
【００１１】
本発明のＩＣタグ利用システムは、前記ユーザ識別情報がリーダライタの識別情報であってもよい。
【００１２】
また、前記企業サーバが、ユーザと、当該ユーザから前記ＩＣタグ識別情報の送信があった送信回数とをデータベースに記憶し、前記送信回数が所定のしきい値に達したユーザを指摘する構成を採用し、その指摘されたユーザに特別な特典を与えてもよい。
【００１３】
更に、前記管理ゲートウエイが、前記企業サーバのそれぞれから企業識別情報とＩＣタグ識別情報とを受信し、企業識別情報とＩＣタグ識別情報の対応関係を前記タグ情報データベースに記憶する構成を採用してもよい。
【００１４】
特に、前記管理ゲートウエイが、ユーザ識別情報とユーザ個人情報とを対応づけたデータを保持しない構成を採用することが好ましい。また、前記ユーザ識別情報がリーダライタの識別情報であることも好ましい。この場合、ユーザの個人情報の漏洩が特に防止できる。
【００１５】
本発明のＩＣタグ利用方法は、前記企業サーバが、ユーザ識別情報と、当該ユーザ識別情報を有するユーザから前記ＩＣタグ識別情報の送信があった送信回数とをデータベースに記憶するステップと、前記企業サーバが、前記送信回数が所定のしきい値に達したユーザを指摘するステップとを更に有する構成を採用してもよい。
【００１６】
更に、前記管理ゲートウエイが、前記企業サーバから企業識別情報とＩＣタグ識別情報とを受信し、企業識別情報とＩＣタグ識別情報の対応関係を前記タグ情報データベースに記憶するステップを更に有する構成も採用できる。
【００１７】
特に、前記管理ゲートウエイが、ユーザ識別情報とユーザ個人情報とを対応づけたデータを保持しない構成を採用することが好ましい。
【発明の効果】
【００１８】
本発明のＩＣタグ利用システム及び方法によると、複数の企業の商品販売のキャンペーンが、共通の管理ゲートウエイを利用して行われるので、各企業が個別にカードリーダをユーザ毎に用意しなくて済み、また、個別にネットワークを用意する必要にないので、無線ＩＣタグを販売促進のキャンペーンなどに利用する際の企業の負担が軽減する。また、個人情報は企業側のデータベースに保有すればよく、ユーザがＩＣタグの識別情報を送信する際には、単にユーザの識別情報のみを送信すればよいので、中間媒体である管理ゲートウエイを含むネットワーク内での、ユーザの個人情報漏洩のおそれが小さくなる。
【発明を実施するための最良の形態】
【００１９】
以下、図面を参照し、本発明の実施形態について詳細に説明する。図１は、複数の企業が利用でき、無線ＩＣタグの識別番号の管理を行う共通基盤のＩＤ管理ゲートウエイを用いて、各企業の販売促進のためのキャンペーンを支援するＩＣタグ利用システムを示す。本ＩＣタグ利用システムは、各企業のサーバ２１と、複数の企業に共通のＩＤ管理ゲートウエイ１１と、企業の顧客などのユーザが保持する複数のユーザ端末１とを有する。
【００２０】
ユーザ端末１と、各企業が保有する企業サーバ２１と、ＩＤ管理ゲートウエイ１１とは、無線または有線のネットワーク７により接続されている。ＩＤ管理ゲートウエイ１１は、ユーザ端末１及び企業サーバ２１とネットワーク７によって接続され、各企業サーバ２１は、共通基盤のＩＤ管理ゲートウエイ１１を利用して、商品５に取り付けた無線ＩＣタグ６の商品管理情報を入手する。なお、ネットワークは、企業とＩＤ管理サーバとの間のネットワークと、ユーザ端末とＩＤ管理ゲートウエイとの間のネットワークとを、別個に設けてもよい。
【００２１】
無線ＩＣタグ６は、カード形状を有し、カード内にＩＣチップを実装し、ＩＣチップ内に商品の商品管理情報や、キャンペーン情報を記憶している。無線ＩＣタグ６の情報は、リーダライタ３によって、無線で読出しまたは書込みが可能である。商品管理情報は、英数字からなる無線ＩＣタグ６の識別番号、商品名、英数字からなる商品５の識別番号などから構成されている。図２に、無線ＩＣタグ６に記憶される商品管理情報の項目を示す。
【００２２】
キャンペーンを実施する各企業は、キャンペーン対象の商品５に無線ＩＣタグ６を取り付け、店舗等に商品５を卸す。店舗等ではその商品５を陳列する。ユーザは、その商品５を購入し、リーダライタ３を用いて、商品５に取り付けられた無線ＩＣタグ６の商品管理情報を読み出す。読み出した商品管理情報は、リーダライタ３の識別情報と共に、ユーザ端末１及びネットワーク７を介して、ＩＤ管理ゲートウエイ１１に送信される。ＩＤ管理ゲートウエイ１１は、無線ＩＣタグ６の商品管理情報に基づいて、ＩＣタグの識別情報と企業名や企業識別情報とを関連づけて記憶する無線ＩＣタグ情報データベース１３から企業名を抽出する。次いで、送信されたＩＣタグの商品管理情報、及び、リーダライタ識別情報を、その抽出された企業に向けて送信する。
【００２３】
ＩＤ管理ゲートウエイ１１は、各企業が商品５に取り付けた無線ＩＣタグ６の商品管理情報内の識別番号を統合的に管理している。ＩＤ管理ゲートウエイ１１は、上記のように、無線ＩＣタグ６の識別番号を利用して、無線ＩＣタグ６の識別番号を含む商品管理情報をそれぞれの企業に振り分けて送信する。ＩＤ管理ゲートウエイ１１の制御装置１２は、ＩＤ管理ゲートウエイ１１の制御を行う。
【００２４】
各企業サーバ２１は、ＩＤ管理ゲートウエイ１１から受信した、無線ＩＣタグ６の商品管理情報、及び、リーダライタ３の識別情報を利用して、ユーザのキャンペーン参加状態を取得し、ユーザのキャンペーン参加状態に応じたサービスをユーザに提供する。
【００２５】
各企業サーバ２１は、ネットワーク７を介してユーザ端末１やＩＤ管理ゲートウエイ１１と通信を行う。企業サーバ２１は、キャンペーン商品の管理を行うキャンペーン商品情報データベース２３と、ユーザのキャンペーンへの参加状況を管理する顧客情報データベース２４とを構築し、管理している。図３及び図４はそれぞれ、キャンペーン商品情報データベース２３と、顧客情報データベース２４とが管理し記憶する項目を示す。企業サーバ２１の制御装置２２は、企業サーバ２１の制御を行う。
【００２６】
キャンペーン商品情報データベース２３は、キャンペーン対象の各商品５について、そのキャンペーン名、商品名、英数字からなる商品５の識別番号、及び、英数字からなる無線ＩＣタグ６の識別番号を、関連付けて記憶している。各キャンペーンには、キャンペーンにて販売される商品５の個数分の英数字からなる無線ＩＣタグ６の識別番号が用意される。このため、キャンペーン商品情報データベース２３には、キャンペーン名、商品名、英数字からなる商品５の識別番号、及び、英数字からなる無線ＩＣタグ６の識別番号を相互に関連付けた１組のデータとすると、キャンペーン対象の商品５の個数分だけ関連付けされた組数のデータが記憶される。
【００２７】
顧客情報データベース２４は、ユーザが参加する各キャンペーンについて、英数字からなるユーザの識別番号、ユーザの氏名、男女の別、住所、電話番号、端末名、英数字からなるユーザ端末１の型番、ユーザ端末１のＩＰアドレス、ユーザ端末１が携帯電話の場合にはユーザ端末１の電話番号、ユーザ端末１に内蔵または外付けされた、英数字からなるリーダライタ３の識別番号、キャンペーン名、及び、キャンペーン対象商品の無線ＩＣタグ６の商品管理情報を送信した回数（以降、管理情報送信回数）が、相互に関連付けて記憶されている。 
【００２８】
ＩＤ管理ゲートウエイ１１は、サーバ装置からなり、ネットワーク７を介してユーザ端末１や企業サーバ２１と通信を行う。ＩＤ管理ゲートウエイ１１は、無線ＩＣタグ６の識別番号と、リーダライタ３の識別番号と、キャンペーン実施の企業名を管理する。ＩＤ管理ゲートウエイ１１は、無線ＩＣタグ情報データベース１３と、リーダライタ情報データベース１４とを構築し管理している。図５及び図６はそれぞれ、無線ＩＣタグ情報データベース１３と、リーダライタ情報データベース１４とが管理し記憶する項目を示す。ＩＤ管理ゲートウエイ１１の制御装置１２は、サーバ装置の制御を行う。
【００２９】
無線ＩＣタグ情報データベース１３は、英数字からなる無線ＩＣタグ６の識別番号と、キャンペーン実施の企業名とを関連付けて記憶している。リーダライタ情報データベース１４は、ユーザ端末１に接続された、英数字からなるリーダライタ３の識別番号と、キャンペーン実施の企業名とを、関連付けて記憶している。 
【００３０】
ユーザ端末１は、携帯電話や、携帯情報端末、パーソナルコンピュータ等であり、ネットワーク７を介して、ＩＤ管理ゲートウエイ１１や、企業サーバ２１と通信を行う。ユーザ端末１は、ユーザ端末１の制御を行う制御装置２と、内蔵または外付けのリーダライタ３とを備えている。リーダライタ３は、英数字からなる識別番号を備え、ユーザ端末１の制御装置２に接続されている。
【００３１】
各企業は、まず、自身の商品５の販売促進のために、その商品５を購入したユーザに対してサービスを提供する旨のキャンペーンを行う。各企業が保有する企業サーバ２１は、ＩＤ管理ゲートウエイ１１に、キャンペーン実施の企業名、及び、販売を行う商品５の個数を含む情報送信して、ＩＤ管理ゲートウエイ１１に対し、販売商品５の個数分の無線ＩＣタグ６の識別番号を要求する。
【００３２】
ＩＤ管理ゲートウエイ１１は、商品５の販売個数分の無線ＩＣタグ６の識別番号を用意し、ネットワーク７を介して、関連する企業サーバ２１に向けて送信する。ＩＤ管理ゲートウエイ１１は、それらの無線ＩＣタグ６の識別番号と、キャンペーン実施企業名とを関連付けて、無線ＩＣタグ情報データベース１３に記憶する。
【００３３】
企業サーバ２１は、受信した商品５の個数分の無線ＩＣタグ６の識別番号を用いて、無線ＩＣタグ６の識別番号、商品名、及び、商品５の識別番号を含む商品管理情報を、リーダライタ（図示せず）を使用して、各無線ＩＣタグ６に書き込む。商品５にその無線ＩＣタグ６を取り付ける。さらに、企業サーバ２１は、キャンペーン名、商品名、商品５の識別番号、及び、無線ＩＣタグ６の識別番号を相互に関連付けて、キャンペーン商品情報データベース２３に記憶する。
【００３４】
商品５は、店舗等に卸され、陳列される。キャンペーンに参加し、サービスを受けたいユーザは、事前にキャンペーン実施の企業名、キャンペーン名、英数字からなるリーダライタ３の識別番号、および、ユーザの個人情報を、ユーザ端末１からＩＤ管理ゲートウエイ１１に向けて送信する。
【００３５】
ユーザの個人情報は、英数字からなるユーザの識別番号、ユーザの氏名、男女の別、住所、電話番号、ユーザ端末名、英数字からなるユーザ端末１の型番、ユーザ端末１のＩＰアドレス、及び、ユーザ端末１が携帯電話の場合にはユーザ端末１の電話番号から構成されている。
【００３６】
ＩＤ管理ゲートウエイ１１は、キャンペーン実施の企業名、キャンペーン名、リーダライタ３の識別番号、及び、ユーザの個人情報を含む、ユーザ端末１から受信した情報から、リーダライタ３の識別番号、及び、キャンペーン実施の企業名を、リーダライタ情報データベース１４に、相互に関連付けて記憶し、受信した情報を全て企業サーバ２１に送信する。
【００３７】
ＩＤ管理ゲートウエイ１１は、受信した情報の送信後、リーダライタ情報データベース１４に関連付けて記憶したリーダライタ３の識別番号、及び、キャンペーン実施の企業名の情報を残し、それ以外の情報は個人情報も含めて消去する。
【００３８】
企業サーバ２１は、リーダライタ３の識別番号と、ユーザの個人情報と、管理情報送信回数とを、顧客情報データベース２４に関連付けて記憶する。最初の登録なので、管理情報送信回数は０回に設定する。リーダライタ３の識別番号を用いて顧客情報データベース２４を検索すると、リーダライタ３を取り付けたユーザ端末１のユーザの個人情報を識別して抽出できる。
【００３９】
ユーザは、店舗等で、キャンペーン対象の商品５を購入すると、ユーザ端末１に備えられたリーダライタ３に、商品５に取り付けられた無線ＩＣタグ６をかざす。リーダライタ３は、無線ＩＣタグ６と通信を行い、無線ＩＣタグ６から商品管理情報を読み出す。
【００４０】
ユーザ端末１は、無線ＩＣタグ６の商品管理情報とリーダライタ３の識別番号とを、ＩＤ管理ゲートウエイ１１に送信する。ＩＤ管理ゲートウエイ１１は、無線ＩＣタグ６の商品管理情報とリーダライタ３の識別番号を受信すると、商品管理情報の中の無線ＩＣタグ６の識別番号から、無線ＩＣタグ情報データベース１３を利用して、無線ＩＣタグ６の識別番号に関連付けられたキャンペーン実施企業名を抽出する。ＩＤ管理ゲートウエイ１１はその企業に無線ＩＣタグ６の商品管理情報とリーダライタ３の識別番号を送信する。
【００４１】
企業サーバ２１は、無線ＩＣタグ６の商品管理情報及びリーダライタ３の識別番号を受信すると、商品管理情報から商品名、商品５の識別番号、無線ＩＣタグ６の識別番号を抽出し、商品名、商品５の識別番号、無線ＩＣタグ６の識別番号のそれぞれを、企業サーバ２１が記憶しているキャンペーン商品情報データベース２３に関連付けられて登録されている情報と比較する。商品名、商品５の識別番号、無線ＩＣタグ６の識別番号のそれぞれが、キャンペーン商品情報データベース２３に関連付けられて登録されている情報と一致すると、受信した商品管理情報に誤りおよび不正がないことを確認し、ユーザがキャンペーン参加状況の更新のために無線ＩＣタグ６の商品管理情報を送信してきたと認識する。
【００４２】
次に、リーダライタ３の識別番号を用いて、顧客情報データベース２４から、ユーザの個人情報を識別して抽出すると共に、管理情報送信回数を検索する。出力された管理情報送信回数をインクリメントして、顧客情報データベース２４に記憶する。
【００４３】
企業サーバ２１の顧客情報データベース２４は、管理情報送信回数に応じたサービスを、ユーザの個人情報を参照して、ユーザに提供する。サービスの内容は、管理情報送信回数が目標回数に到達すると、何らかの特典や景品がもらえる内容としても良い。その進捗状況をグラフにし、ネットワーク７を介してユーザのユーザ端末１に送信する。
【００４４】
本実施形態の無線ＩＣタグ利用システムでは、ＩＤ管理ゲートウエイ１１を、ユーザと企業との間の中間媒体として設置することにより、全ての企業がキャンペーン等に無線ＩＣタグを容易に利用できる。企業は、共通基盤のＩＤ管理ゲートウエイを利用して、キャンペーン商品に取り付けた無線ＩＣタグの識別番号が入手可能となる。ＩＤ管理ゲートウエイは、ユーザ端末から送信された無線ＩＣタグの識別番号のみで、その識別番号をどの企業に送信するかを判断できるため、送信する情報を少なくできる。また、ＩＤ管理ゲートウエイは、ユーザの個人情報を保持せず、また、ユーザは、ユーザ端末１から無線ＩＣタグ６の識別番号を送信する時も、自身の個人情報を送信しないので、個人情報の保護が可能となる。
【００４５】
なお、上記実施形態では、ユーザ端末が個人情報を、ＩＤ管理ゲートウエイを経由して、企業サーバに送信する例を示したが、ユーザ端末からは、企業サーバに個人情報を送信し、企業サーバが必要な情報だけをＩＤ管理ゲートウエイに送信してもよい。
【００４６】
以上、本発明をその好適な実施態様に基づいて説明したが、本発明のＩＣタグ利用システム及び方法は、上記実施態様の構成にのみ限定されるものではなく、上記実施態様の構成から種々の修正及び変更を施したものも、本発明の範囲に含まれる。
【図面の簡単な説明】
【００４７】
【図１】本発明の一実施形態に係るＩＣタグ利用システムのブロック図。
【図２】実施形態における無線ＩＣタグの商品管理情報のデータ項目を示す表。
【図３】実施形態におけるキャンペーン商品情報データベースのデータ項目を示す表。
【図４】実施形態における顧客情報データベースのデータ項目を示す表。
【図５】実施形態における無線ＩＣタグ情報データベースのデータ項目を示す表。
【図６】実施形態におけるリーダライタ情報データベースのデータ項目を示す表。
【符号の説明】
【００４８】
１：ユーザ端末
２：ユーザ端末の制御装置
３：リーダライタ
５：商品
６：無線ＩＣタグ
７：ネットワーク
１１：ＩＤ管理ゲートウエイ
１２：ＩＤ管理ゲートウエイの制御装置
１３：無線ＩＣタグ情報データベース
１４：リーダライタ情報データベース
２１：企業サーバ
２２：企業サーバの制御装置
２３：キャンペーン商品情報データベース
２４：顧客情報データベース
【図１】
2008234583.tif 000003
【図２】
2008234583.tif 000004
【図３】
2008234583.tif 000005
【図４】
2008234583.tif 000006
【図５】
2008234583.tif 000007
【図６】
2008234583.tif 000008